(57)【特許請求の範囲】
【請求項１】
被検体を挟んで相対向するＸ線管及びＸ線検出器を備え、Ｘ線検出器から収集した投影データに基づき被検体のＣＴ断層像を再構成するＸ線ＣＴ装置において、
Ｘ線管を冷却するためのファンモータと、
ファンモータと電源との間に介在し、該ファンモータに給電するための給電用端子を有するコネクタと、
給電用端子の周囲に並設した１又は２対以上の信号用端子と、
前記対となる信号用端子のうち、一方の信号用端子を所定の電圧レベルにバイアスするバイアス手段と、
前記対となる信号用端子のうち、他方の信号用端子に接続した１又は２以上の検出器と、
何れか１の検出器が所定の電圧レベルを検出しないことによりＸ線管への給電を遮断するＸ線管制御部と
を備えることを特徴とするＸ線ＣＴ装置。
【請求項２】
被検体を挟んで相対向するＸ線管及びＸ線検出器を備え、Ｘ線検出器から収集した投影データに基づき被検体のＣＴ断層像を再構成するＸ線ＣＴ装置において、
Ｘ線管を冷却するためのファンモータと、
ファンモータと電源との間に介在し、該ファンモータに給電するための給電用端子を有するコネクタと、
給電用端子の周囲に並設した２対以上の信号用端子と、
各信号用端子が単一の直列回路をなす様に接続する接続手段と、
直列回路をなす一端の信号用端子を所定の電圧レベルにバイアスするバイアス手段と、
直列回路をなす他端の信号用端子に接続した検出器と、
検出器が所定の電圧レベルを検出しないことによりＸ線管への給電を遮断するＸ線管制御部と
を備えることを特徴とするＸ線ＣＴ装置。
【発明の詳細な説明】
【０００１】
【発明の属する技術分野】
本発明はＸ線ＣＴ装置に関し、更に詳しくは被検体を挟んで相対向するＸ線管及びＸ線検出器を備え、Ｘ線検出器から収集した投影データに基づき被検体のＣＴ断層像を再構成するＸ線ＣＴ装置に関する。
【０００２】
この種のＸ線ＣＴ装置には、所謂回転陽極型のＸ線管が広く用いられているが、外部から適当に冷却しないとＸ線管が過熱状態となり、高価なＸ線管を損傷してしまう。このため、Ｘ線管の異常な温度上昇はＸ線ＣＴ装置を緊急停止させるための一要件とされている。
【０００３】
【従来の技術】
図６，図７は従来技術を説明する図（１），（２）で、図６は回転陽極型Ｘ線管の断面図を示している。図において、３１はＸ線管、▲１▼は管内を真空に保つ外囲器、▲２▼はフィラメント、▲３▼は集束電極、▲４▼は陰極スリーブ、▲５▼は傘状のタングステン円板からなるターゲット、▲６▼はＸ線の発生源である焦点、▲７▼は回転陽極子、▲８▼はベアリング、▲９▼は陽極軸である。フィラメント▲２▼で発生した熱電子を高圧にて加速・集束してターゲット▲５▼の焦点▲６▼に衝突させ、Ｘ線を発生する。しかし、一般にＸ線への変換効率は数％以下と低く、エネルギーの大半が熱に変換されるため、焦点▲６▼に高い熱が発生する。そこで、ターゲット▲５▼を回転させ、焦点▲６▼の実効面積を拡大し、所要のＸ線出力を得ている。
【０００４】
図７は従来のＸ線ＣＴ装置の要部構成を示している。図において、３０はＸ線のファンビーム等により被検体のＡxial／Ｈericl スキャン・読取を行う走査ガントリ、３１はＸ線管、３２はＸ線管３１の管電流ｍＡや管電圧ｋＶを制御するＸ線制御部、３３はＸ線の曝射範囲を制限するコリメータ、２０は被検体を載せて体軸方向に移動させる撮影テーブル、３４は多数（１０００程度）のＸ線検出器を円弧状に配列したＸ線検出器アレイ、３５はＸ線検出器アレイから被検体の投影データを収集するデータ収集部（ＤＡＳ）、１５は投影データを蓄積するデータ収集バッファ、１１はＸ線ＣＴ装置の主制御・処理（スキャン制御，Ｘ線管の温度上昇による停止制御，ＣＴ画像再構成処理等）を行う中央処理装置、１１ａはそのＣＰＵ、１１ｂはＣＰＵ１１ａが実行する各種プログラム等を記憶している主メモリ（ＭＥＭ）、１２はキーボードやマウス等からなる入力装置、１３はＸ線ＣＴの撮像計画（Ｘ線管３１の管電流ｍＡ，管電圧ｋＶ，ガントリ１回転当たりのスキャン時間Ｓec，被検体の体軸方向の検出厚Ｔhic 等）やＣＴ断層像を表示するための表示装置（ＣＲＴ）、１４はＣＰＵ１１ａの制御インタフェースである。
【０００５】
動作の概要を述べると、Ｘ線管３１から曝射され、コリメータ３３で制限されたファンビームは不図示の被検体を介してＸ線検出器アレイ３４に一斉に入射する。データ収集部３５はＸ線検出器アレイ３４から被検体の投影データを収集してデータ収集バッファ１５に格納する。更に走査ガントリ３０が僅かに回転した位置（ビュー）で上記同様の撮像を行い、その収集データを蓄積する。以下、同様にして走査ガントリ１回転分の投影データを収集・蓄積すると共に、Ａxial／Ｈericl スキャン方式に従い撮影テーブル２０を被検体の体軸方向に移動させて被検体の所要撮像領域についての全投影データを収集・蓄積する。そして、得られた全投影データに基づき、被検体のＣＴ断層像を再構成し、表示する。
【０００６】
図７は、更に、Ｘ線管３１を冷却し、かつＸ線管３１の温度上昇を検出してＸ線管３１への給電を停止させる構成を示している。図において、３７はＸ線管３１を冷却するための１又は２以上のファンモータ、５４はファンモータへの給電線、５０´はファンモータ３７の保守・交換の容易のためにファンモータ３７の近くに設けられた給電用のコネクタ、５１はその給電用端子、４０はＡＣ１００Ｖ等からなる電源、７３はＡＣ電源の電源センサ、４１はＡＣ−ＤＣコンバ−タ（ＡＣ−ＤＣ  ＣＯＶ）、ＣＭＰ２は整流出力電圧ＤＣＶと所定閾値ＴＨ２とを比較する比較器、７５はＸ線管３１の温度センサ、３６は負特性のサーミスタ、ＯＰ１は電圧フォロアを構成するオペアンプ、ＣＭＰ１はＸ線管３１の検出温度ＶＴと所定閾値ＴＨ１とを比較する比較器、Ｏ１は各種アラーム信号ＡＬ１，ＡＬ２の論理和出力を形成するＯＲゲート回路である。
【０００７】
係る構成では、もしＸ線管３１の冷却系（ファンモータ３７）に故障が発生すると、Ｘ線管３１が過熱状態となり、高価なＸ線管３１が損傷するばかりか、被検体にも危険が及ぶ恐れがあり、Ｘ線管３１の温度上昇を未然に防止する仕組みが不可欠である。この点、従来は、ファンモータ３７への給電電圧ＡＣを電源センサ７３で監視すると共に、その振幅（即ち、ＤＣＶ）が所定閾値ＴＨ２より小さいと、ファンモータ３７（冷却系）が適正に動作できないと判断し、アラーム信号ＡＬ２＝「１」を生成していた。これを受けたＣＰＵ１１ａは、Ｘ線制御部３２を消勢し、Ｘ線管３１への給電を緊急停止する。従って、少なくとも電源異常に起因するＸ線管３１の温度上昇を未然に防止できる。
【０００８】
【発明が解決しようとする課題】
しかし、上記従来方式によると、もし中間のコネクタ５０´に接触不良、又はファンモータ３７のそのものに不具合があると、もはや上記の様な電源電圧の異常検出では冷却系の異常を検出できない。
【０００９】
なお、この点、従来はＸ線管３１の温度を温度センサ７５で監視すると共に、検出温度ＶＴが所定閾値ＴＨ１を超えたことによりアラーム信号ＡＬ１＝「１」を生成し、これを受けたＣＰＵ１１ａはＸ線管３１の電源を遮断する様になっている。しかし、上記冷却系が働かない時のＸ線管３１の温度上昇は、急には止まらず、このためＸ線管３１の許容温度を超えてしまう恐れが多分にある。
【００１０】
本発明は上記従来技術の問題点に鑑みなされたもので、その目的とする所は、簡単な構成によりＸ線管冷却系の異常を確実に検出可能なＸ線ＣＴ装置を提供することにある。
【００１１】
【課題を解決するための手段】
上記の課題は例えば図１又は図２（Ｂ）の構成により解決される。即ち、本発明（１）のＸ線ＣＴ装置は、被検体を挟んで相対向するＸ線管３１及びＸ線検出器３４を備え、Ｘ線検出器３４から収集した投影データに基づき被検体のＣＴ断層像を再構成するＸ線ＣＴ装置において、Ｘ線管３１を冷却するためのファンモータ３７と、ファンモータ３７と電源４０との間に介在し、該ファンモータに給電するための給電用端子５１を有するコネクタ５０と、給電用端子５１の周囲に並設した１又は２対以上の信号用端子５２と、各一方の信号用端子を所定の電圧レベル（例えばＧＮＤ）にバイアスするバイアス手段と、各他方の信号用端子に接続した１又は２以上の検出器と、何れか１の検出器が所定の電圧レベルを検出しないことによりＸ線管３１への給電を遮断するＸ線管制御部３２とを備えるものである。
【００１２】
本発明（１）によれば、信号用端子５２を給電用端子５１の周囲に並設する構成により、もしコネクタ５０の接続の仕方に不具合がある時は、周囲の信号用端子５２の方が先に外れる可能性が高く、よって給電用端子５１の外れ（接触不良）を未然に検出できる。また、何れか１の信号用端子５２の外れを検出してＸ線管３１への給電を遮断する構成により、Ｘ線管３１の過熱を未然に回避できる。
【００１３】
また上記の課題は例えば図１及び図２（Ａ）の構成により解決される。即ち、本発明（２）のＸ線ＣＴ装置は、被検体を挟んで相対向するＸ線管３１及びＸ線検出器３４を備え、Ｘ線検出器３４から収集した投影データに基づき被検体のＣＴ断層像を再構成するＸ線ＣＴ装置において、Ｘ線管３１を冷却するためのファンモータ３７と、ファンモータ３７と電源４０との間に介在し、該ファンモータに給電するための給電用端子５１を有するコネクタ５０と、給電用端子５１の周囲に並設した２対以上の信号用端子５２ａ，５２ｂと、各信号用端子５２ａ，５２ｂが単一の直列回路をなす様に接続する接続手段５３と、直列回路をなす一端の信号用端子を所定の電圧レベルにバイアスするバイアス手段と、直列回路をなす他端の信号用端子に接続した検出器と、検出器が所定の電圧レベルを検出しないことによりＸ線管への給電を遮断するＸ線管制御部３２とを備えるものである。
【００１４】
本発明（２）によれば、各信号用端子５２ａ，５２ｂが単一の直列回路をなす様に接続する構成により、単一のバイアス手段と検出器とにより各信号用端子５２ａ，５２ｂの内のいずれか一つが外れても、その外れを確実に検出でき、よってＸ線管３１の過熱を未然に回避できる。
【００１５】
また上記の課題は例えば図３の構成により解決される。即ち、本発明（３）のＸ線ＣＴ装置は、被検体を挟んで相対向するＸ線管３１及びＸ線検出器３４を備え、Ｘ線検出器３４から収集した投影データに基づき被検体のＣＴ断層像を再構成するＸ線ＣＴ装置において、Ｘ線管３１を冷却するためのファンモータ３７と、ファンモータ３７への給電電流を検出する電流センサ４２と、電流センサ４２が所定範囲外の電流を検出したことによりＸ線管３１への給電を遮断するＸ線管制御部３２とを備えるものである。
【００１６】
本発明（３）によれば、ファンモータ３７への給電電流が所定範囲外であることを検出する構成により、もし中間のコネクタ５０´が外れて給電電流が０（即ち、所定範囲外）になっても、又はファンモータ３７が機械的疲労等により減速して給電電流が大（即ち、所定範囲外）になっても、これらを確実に検出でき、よってＸ線管３１の過熱を未然に回避できる。
【００１７】
また上記の課題は例えば図４の構成により解決される。即ち、本発明（４）のＸ線ＣＴ装置は、被検体を挟んで相対向するＸ線管３１及びＸ線検出器３４を備え、Ｘ線検出器３４から収集した投影データに基づき被検体のＣＴ断層像を再構成するＸ線ＣＴ装置において、Ｘ線管３１を冷却するためのファンモータ３７と、ファンモータ３７からの風量を検出する風量センサ７０と、風量センサ７０が所定以下の風量を検出したことによりＸ線管３１への給電を遮断するＸ線管制御部３２とを備えるものである。
【００１８】
本発明（４）によれば、ファンモータ３７からの風量を検出する構成により、Ｘ線管３１に対する冷却作用の有／無状態を直接的かつ確実に検出でき、よってＸ線管３１の過熱を未然に回避できる。
【００１９】
また上記の課題は例えば図５の構成により解決される。即ち、本発明（５）のＸ線ＣＴ装置は、被検体を挟んで相対向するＸ線管３１及びＸ線検出器３４を備え、Ｘ線検出器３４から収集した投影データに基づき被検体のＣＴ断層像を再構成するＸ線ＣＴ装置において、Ｘ線管３１を冷却するためのファンモータ３７と、ファンモータ３７の回転速度を検出する回転センサ７１と、回転センサ７１が所定以下の回転速度を検出したことによりＸ線管３１への給電を遮断するＸ線管制御部３２とを備えるものである。
【００２０】
本発明（５）によれば、ファンモータ３７の回転速度を検出する構成により、Ｘ線管３１に対する冷却作用の有／無状態を略直接的かつ確実に検出でき、よってＸ線管３１の過熱を未然に回避できる。
【００２１】
【発明の実施の形態】
以下、添付図面に従って本発明に好適なる複数の実施の形態を詳細に説明する。なお、全図を通して同一符号は同一又は相当部分を示すものとする。
【００２２】
図１は第１の実施の形態によるＸ線ＣＴ装置の要部構成図で、ファンモータ３７に給電する着脱式コネクタ５０の接触不良を検出する場合を示している。なお、図１の全体的な構成は上記図７で述べたものと同様で良い。以下、本第１の実施の形態による特徴的な部分を詳細に説明する。
【００２３】
図において、５０は実施の形態によるコネクタ、５１は例えば２対（ＧＮＤを含む場合は３対）の給電用端子、５２は１対の信号用端子である。給電用端子５１はファンモータ３７に十分な電力を供給可能なサイズの各雄雌一対の通常の嵌合（接触）端子からなる。一方、信号用端子５２は電圧信号（ＧＮＤレベル等）を伝達可能なサイズの雄雌一対の通常の嵌合（接触）端子からなる。また給電用端子５１の嵌合（接触）長は通常に設けられるが、信号用端子５２の嵌合（接触）長は、好ましくは、これよりも幾分短めに設けられる。従って、コネクタ５０の嵌合状態が十分でないような場合は、信号用端子５２の接触が先に外れる。更に、コネクタ５０の一方の信号用端子５２に接続したラインを所定の電圧レベル（例えばＧＮＤ）に接続し、かつ他方の信号用端子５２に接続したラインを抵抗Ｒでプルアップすると共に、これをＯＲゲート回路（検出器）Ｏ１の入力に接続している。
【００２４】
コネクタ５０が適正に嵌合されている場合は、給電用端子５１が接続してファンモータ３７にＡＣ電源を給電し、これによりファンモータ３７が回転してＸ線管３１を冷却する。この時、信号用端子５２も適正に接続しており、従って、アラーム信号ＡＬ３＝「０」（ＬＯＷレベル）となり、接触異常は検出されない。またコネクタ５０が適正に接続されていない（例えば信号用端子５２の側が少し開いている）場合は、給電用端子５１が外れる恐れが多分にあり、この時、信号用端子５２の接触が先に外れる。これによりアラーム信号ＡＬ３＝「１」（ＨＩＧＨレベル）となり、ＯＲゲート回路Ｏ１の出力のアラーム信号ＡＬ＝「１」（異常）が制御インタフェース１４を介してＣＰＵ１１ａに割込通知される。この通知を受けたＣＰＵ１１ａは、制御インタフェース１４を介してＸ線制御部３２を消勢し、これを受けたＸ線制御部３２はＸ線管３１の駆動（管電流ｍＡ，管電圧ｋＶ等）を停止する。従って、Ｘ線管の過熱状態を未然に回避できる。
【００２５】
図２は第１の実施の形態における他のコネクタ構成を説明する図で、図２（Ａ）は複数対設けた信号用端子が単一の直列回路をなす様に接続された場合を示している。図において、５２ａ，５２ｂは２対の信号用端子であり、これらは嵌合された時に全体として単一の直列回路をなす様にジャンパ線（ジャンパ用パターン）５３により接続されている。好ましくは、信号用端子５２ａ，５２ｂを中央部の給電用端子５１の周囲（図の左右両側等）に並設する。また好ましくは、信号用端子５２の嵌合（接触）長を給電用端子５１の嵌合（接触）長よりも短くしておく。従って、コネクタ５０の嵌合が十分でない時は、信号用端子５２ａ又は５２ｂの接触が先に外れる。更に、一方の信号用端子５２ｂを所定の電圧レベル（例えばＧＮＤ）に接続し、かつ他方の信号用端子５２ａを抵抗Ｒでプルアップすると共に、これをＯＲゲート回路（検出器）Ｏ１の入力に接続する。
【００２６】
係る構成では、もしコネクタ５０が適正に接続されていない（例えば信号用端子５２ａの側が少し開いている）場合には、やがて給電用端子５１の接触が外れる恐れが多分にあり、この時、信号用端子５２ａの接触が先に外れる。これによりアラーム信号ＡＬ３＝「１」となり、ＯＲゲート回路Ｏ１の出力のアラーム信号ＡＬ＝「１」（異常）が制御インタフェース１４を介してＣＰＵ１１ａに割込通知される。従って、本実施の形態によれば、単一の直列回路の何処の箇所で接触不良が起きてもこれを確実に検出できる。しかも、接触不良の検出は単一のバイアス手段（ＧＮＤ）と単一の検出器（ＯＲゲート回路Ｏ１）で行えるため、回路構成が簡単である。
【００２７】
図２（Ｂ）は複数対設けた各信号用端子につきパラレルで接触不良を検出する場合を示している。図において、信号用端子対５２ａ，５２ｂの各一方を所定の電圧レベル（例えばＧＮＤ）に接続し、かつ各他方を夫々抵抗Ｒでプルアップすると共に、これらをＯＲゲート回路（検出器）Ｏ１の複数の入力端子に接続している。係る構成では、もしコネクタ５０が適正に接続されていない（例えば信号用端子５２ｂの側が少し開いている）場合は、やがて給電用端子５１の接触が外れる恐れが多分にあり、この時、信号用端子５２ｂの接触が先に外れる。これによりアラーム信号ＡＬ３＝「１」となり、ＯＲゲート回路Ｏ１の出力のアラーム信号ＡＬ＝「１」（異常）が制御インタフェース１４を介してＣＰＵ１１ａに割込通知される。なお、上記信号用端子対５２の数や配置及びそれらの接続パターンについては、直列／並列接続を問わず、他にも様々に構成できることは明らかである。
【００２８】
図３は第２の実施の形態によるＸ線ＣＴ装置の要部構成図で、ファンモータ３７の給電ライン５４に電流センサ４２を設けた場合を示している。図において、電流センサ４２は、フェライト等からなる磁性リング４２ａと、該磁性リング４２ａに巻回したコイル４２ｂとを備え、磁性リング４２ａの内側に１本の給電線５４を通すことで、該給電線５４に流れる交流電流ｉに比例した交流電圧信号ｖ（＝ωＬｉ）をピックアップする。更にこのピックアップ信号ｖを整流回路４３で全波整流し、ピックアップ信号ｖの振幅に応じた直流電圧信号Ｖ１を生成する。比較器ＣＭＰ３は信号Ｖ１と所定閾値ＴＨ３とを比較しており、もしＶ１＜ＴＨ３の場合はアラーム信号ＡＬ３＝「１」（異常）を出力する。これは給電ライン５４に流れる電流ｉが０又は極端に小さい場合であり、これはコネクタ５０´が外れているか、又はファンモータ３７が断線している場合等に相当する。また比較器ＣＭＰ４は信号Ｖ１と所定閾値ＴＨ４（＞ＴＨ３）とを比較しており、もしＶ１＞ＴＨ４の場合はアラーム信号ＡＬ４＝「１」（異常）を出力する。これは給電ライン５４に流れる電流ｉが極端に大きい場合であり、これはファンモータ３７が正常に回転していないか、又は給電ライン５４の電流が外部にリークしている場合等に相当する。なお、電流センサ４２は上記以外にも様々に構成できることは明らかである。
【００２９】
図４は第３の実施の形態によるＸ線ＣＴ装置の要部構成図で、ファンモータ３７の風量を検出する場合を示している。図において、７０は風量センサ、３８ａ，３８ｂは特性の揃った負特性のサーミスタ、ＯＰ２，ＯＰ３は夫々電圧フォロアに構成されたオペアンプ、３９は電圧信号レベルをかさ上げするためのレベルシフト回路である。
【００３０】
一方のサーミスタ３８ａをファンモータ３７の風の当たる位置に配置し、図示の如く抵抗Ｒｂを介してバイアスする。他方のサーミスタ３８ｂも同様にバイアスされるが、このサーミスタ３８ｂには風が当たらない様にその周囲をカバーしておく。一般に、サーミスタ３８ａ，３８ｂは夫々にバイアス電力を消費することで自己加熱するが、風の当たるサーミスタ３８ａの温度の方が風の当たらないサーミスタ３８ｂの温度よりも低くるため、サーミスタ３８ａの抵抗値はサーミスタ３８ｂの抵抗値よりも大きい。
【００３１】
従って、今、ファンモータ３７の風量が十分の場合は、サーミスタ３８ａの温度が上昇せず、各温度の検出電圧ＶＴ２，ＶＴ３の間では、常にＶＴ２＜ＶＴ３の関係となる。なお、検出電圧ＶＴ２のレベルがレベルシフト回路３９によりかさ上げされてＶＴ２´となっているが、適正な風量の下ではＶＴ２´＜ＶＴ１の関係となる様に調整されている。しかし、ファンモータ３７の風量が十分でなくなると、自己加熱によりサーミスタ３８ａの温度が上昇し、これに伴い検出電圧ＶＴ２´が上昇する。比較器ＣＭＰ３は検出電圧ＶＴ２´とＶＴ３とを比較しており、やがてＶＴ２´＞ＶＴ３になると、即ち、ＶＴ２≒ＶＴ３になると、アラーム信号ＡＬ３＝「１」（異常）を出力する。なお、風量センサ７０は上記以外にも様々に構成できることは明らかである。
【００３２】
図５は第４の実施の形態によるＸ線ＣＴ装置の要部構成図で、ファンモータ３７の回転速度を検出する場合を示している。図において、６１はＬＥＤ等の光源、３７ａはファンモータ３７の回転ファン、６２は回転ファン３７ａを介して光源６１からの透過光又は回転ファン３７ａによる反射光を検出するフォトダイオード、７１は回転センサ、ＯＰ３はフォトダイオード６２の検出電流を電圧信号に変換するオペアンプ、４４はレート演算部である。
【００３３】
今、回転ファン３７ａが所要の回転速度で回転している場合は、フォトダイオード６２の検出電流は略所定周波数の交番電流となっており、ＯＰ３の出力には所定周波数のパルス信号ＰＳが得られる。レート演算部４４はパルス信号ＰＳのパルス幅、周期又は単位時間におけるパルス数等に基づきファンモータ３７の回転速度に相当する信号ＰＲを生成する。比較器ＣＭＰ３は信号ＰＲと所定閾値ＴＨ５とを比較しており、ＰＲ＞ＴＨ５の場合は、ファンモータ３７が正常に回転していると判断し、アラーム信号ＡＬ３＝「０」（正常）を出力する。しかし、何らかの理由で、回転ファン３７ａの回転速度が落ち、又は停止すると、信号ＰＳのレベルが低下し、又は０になる。この場合の比較器ＣＭＰ３はＰＲ≦ＴＨ５を検出したことにより、ファンモータ３７が正常に回転していないと判断し、アラーム信号ＡＬ３＝「１」（異常）を出力する。なお、上記光源６１とフォトダイオード６２を設ける代わりに、ファンモータ３７の回転軸にタコメータを設け、回転速度を検出しても良い。
【００３４】
なお、上記各実施の形態では、Ｘ線管３１を直接に空冷する場合を述べたが、これに限らない。Ｘ線ＣＴ装置によっては、更にＸ線管３１の周囲をケースで密閉し、ここに冷却用油等を満たし、この油を循環器と冷却油放熱器で強制冷却する場合がある。本発明は係るケースの外側からの空冷用ファンモータ又は放熱器の冷却用ファンモータや、循環器モータの給電ライン等にも適用できることは明らかである。
【００３５】
また、上記本発明に好適なる複数の実施の形態を述べたが、本発明思想を逸脱しない範囲内で各部の構成、制御、及びこれらの組合せの様々な変更が行えることは言うまでも無い。
【００３６】
【発明の効果】
以上述べた如く本発明によれば、簡単な構成によりＸ線管冷却系の異常を確実に検出可能となり、Ｘ線管の長寿命化、Ｘ線ＣＴ装置の信頼性向上に寄与する所が極めて大きい。
【図面の簡単な説明】
【図１】第１の実施の形態によるＸ線ＣＴ装置の要部構成図である。
【図２】第１の実施の形態における他のコネクタ構成を説明する図である。
【図３】第２の実施の形態によるＸ線ＣＴ装置の要部構成図である。
【図４】第３の実施の形態によるＸ線ＣＴ装置の要部構成図である。
【図５】第４の実施の形態によるＸ線ＣＴ装置の要部構成図である。
【図６】従来技術を説明する図（１）である。
【図７】従来技術を説明する図（２）である。
【符号の説明】
２０  撮影テーブル
３１  Ｘ線管
３３  コリメータ
３６，３８  サーミスタ
３７  ファンモータ
３７ａ  回転ファン
３９  レベルシフト回路
４１  ＡＣ−ＤＣコンバータ（ＡＣ−ＤＣ  ＣＯＶ）
５０，５０´  コネクタ
５１  給電用端子
５２  信号用端子
５３  ジャンパ線
５４  給電線
６１  光源（発光ダイオード等）
６２  フォトダイオード
ＣＭＰ  比較器
ＯＰ  オペアンプ
ＯＲ  ＯＲゲート回路
【図１】
0004472821.tif 000002
【図２】
0004472821.tif 000003
【図３】
0004472821.tif 000004
【図４】
0004472821.tif 000005
【図５】
0004472821.tif 000006
【図６】
0004472821.tif 000007
【図７】
0004472821.tif 000008